(57)【要約】【課題】  誤操作により静止画像を撮像するタイミングを逃してしまうのを回避する。【解決手段】  ビデオカメラは、被写体を撮像し、静止画像または動画像を出力するイメージセンサと、ユーザによる操作を受け付ける操作受付部と、操作受付部により動画の撮像を指示する操作が受け付けられることに応じて（Ｓ０６でＹＥＳ）、イメージセンサを制御して、静止画に対して予め定められた条件で撮像させた後に（Ｓ０８）、イメージセンサ１７に動画像に対して予め定められた条件で撮像させ（Ｓ１２）、操作受付部により静止画の撮像を指示する操作が受け付けられること応じて（Ｓ０１でＹＥＳ）、イメージセンサを制御して、静止画に対して予め定められた条件で撮像させる（Ｓ０３）撮像制御部と、を備える。【選択図】        図４
2011049882.tif 000002
【特許請求の範囲】
【請求項１】
被写体を撮像し、静止画像または動画像を出力する撮像手段と、
ユーザによる操作を受け付ける操作受付手段と、
前記操作受付手段により動画の撮像を指示する操作が受け付けられることに応じて、前記撮像手段を制御して、静止画に対して予め定められた条件で撮像させた後に、前記撮像手段に動画像に対して予め定められた条件で撮像させる動画撮像手段と、
前記操作受付手段により静止画の撮像を指示する操作が受け付けられることに応じて、前記撮像手段を制御して、静止画に対して予め定められた条件で撮像させる静止画撮像手段と、を備えた撮像装置。
【請求項２】
前記操作受付手段により動画像を撮像する操作が受け付けられる場合、前記撮像手段が出力する静止画像と動画像とを関連付ける関連付手段をさらに備えた、請求項１に記載の撮像装置。
【請求項３】
前記撮像手段が出力する静止画像または動画像を記憶する記憶手段と、
前記記憶手段に記憶された静止画像および／または動画像を識別するための識別情報を表示する一覧表示手段を、さらに備え、
前記一覧表示手段は、動画像が静止画像と関連付けられている場合は、動画像の識別情報に代えて該動画像に関連付けられた静止画像の識別情報を表示する、請求項２に記載の撮像装置。
【請求項４】
前記一覧表示手段は、静止画像が動画像と関連付けられている場合は、動画像が関連付けられていることを示す印を前記静止画像の識別情報とともに表示する、請求項３に記載の撮像装置。
【請求項５】
前記一覧表示手段により表示された識別情報を指示する操作が前記操作受付手段により受け付けられると、前記指示された識別情報により特定される静止画像または動画像を表示する再生手段を、さらに備え、
前記再生手段は、前記指示された識別情報により特定される静止画像が動画像と関連付けられている場合、前記静止画像を表示した後に、前記静止画像に関連付けられた前記動画像を表示する、請求項３または４に記載の撮像装置。
【請求項６】
前記関連付けられた静止画像および動画像の関連付けを解除する解除手段を、さらに備えた請求項２〜５のいずれかに記載の撮像装置。
【発明の詳細な説明】
【技術分野】
【０００１】
この発明は、撮像装置に関し、特に、ユーザの指示に従って静止画像または動画像を撮像する撮像装置に関する。
【背景技術】
【０００２】
ビデオカメラで代表される撮像装置は、被写体を撮像した動画像を記録する機能に加えて、静止画像を記録する機能を有する。このビデオカメラで静止画像を記録する場合、シャッター速度および絞り等の撮像条件と解像度等の記録条件とをユーザが設定可能である。一方、動画像を撮像する場合における撮像条件および記録条件は、予め定められているかあるいはユーザが変更可能であってもその範囲が静止画像に比較して狭い。このため、静止画像は、動画像よりも画質面で優れている。従来のビデオカメラにおいては動画像と静止画像とのいずれを記録するかを、ビデオカメラに指示するための操作を入力しなければならない。このため、従来のビデオカメラにおいては、動画像の撮像を指示するためのボタンと、静止画像の撮像を指示するためのボタンを備えている。また、撮像を指示する１つのボタンを備え、動画像を撮像するモードと静止画像を撮像するモードを切換えることにより静止画像または動画像を撮像するものがある。さらに、特開２００４−１５４５０号公報には、シャッタボタンが押下される時間が所定の時間より短い場合に静止画像を記録し、長い場合に動画像を記録するデジタルカメラが記載されている。
【０００３】
しかしながら、ユーザが撮像を指示する操作を入力した後に、その操作を誤ってしまったことに気付く場合がある。例えば、静止画像を撮像するつもりのところ、誤って、動画像を撮像する操作をしてしまった場合、シャッタチャンスを逃してしまうといった問題がある。また、動画像として記録されるが、動画像は静止画像に比較して画質が劣るため、静止画像と同じ画質の画像を得ることはできないといった問題がある。
【特許文献１】特開２００４−１５４５０号公報
【発明の概要】
【発明が解決しようとする課題】
【０００４】
この発明は上述した問題点を解決するためになされたもので、この発明の目的の１つは、ユーザが誤操作により静止画像を撮像するタイミングを逃してしまうのを回避することが可能な撮像装置を提供することである。
【課題を解決するための手段】
【０００５】
上述した目的を達成するためにこの発明のある局面によれば、撮像装置は、被写体を撮像し、静止画像または動画像を出力する撮像手段と、ユーザによる操作を受け付ける操作受付手段と、操作受付手段により動画の撮像を指示する操作が受け付けられることに応じて、撮像手段を制御して、静止画に対して予め定められた条件で撮像させた後に、撮像手段に動画像に対して予め定められた条件で撮像させる動画撮像手段と、操作受付手段により静止画の撮像を指示する操作が受け付けられることに応じて、撮像手段を制御して、静止画に対して予め定められた条件で撮像させる静止画撮像手段と、を備える。
【０００６】
この局面に従えば、動画の撮像を指示する操作が受け付けられると、静止画が撮像された後に、動画像が撮像され、静止画の撮像を指示する操作が受け付けられると、静止画が撮像される。ユーザが静止画像を撮像するところを誤って動画の撮像を指示する操作をした場合であっても、その操作をした時点における静止画像が撮像される。このため、ユーザが誤操作により静止画像を撮像するタイミングを逃してしまうのを回避することが可能な撮像装置を提供することができる。
【０００７】
好ましくは、操作受付手段により動画像を撮像する操作が受け付けられる場合、撮像手段が出力する静止画像と動画像とを関連付ける関連付手段をさらに備える。
【０００８】
この局面に従えば、ユーザによる動画の撮像を指示する操作に応じて、撮像された静止画像と動画像とが関連付けられるので、１回の操作で撮像される２つの静止画像と動画像との管理が容易となる。
【０００９】
好ましくは、撮像手段が出力する静止画像または動画像を記憶する記憶手段と、記憶手段に記憶された静止画像および／または動画像を識別するための識別情報を表示する一覧表示手段を、さらに備え、一覧表示手段は、動画像が静止画像と関連付けられている場合は、動画像の識別情報に代えて該動画像に関連付けられた静止画像の識別情報を表示する。
【００１０】
この局面に従えば、静止画像または動画像が記憶され、静止画像および／または動画像を識別するための識別情報を表示する際に、動画像が静止画像と関連付けられている場合は、動画像の識別情報に代えて該動画像に関連付けられた静止画像の識別情報が表示される。関連付けられた動画像と静止画像のうち静止画像の識別情報が表示されるので、表示領域を有効に利用することができる。また、１回の操作で動画像と静止画像とを選択することができる。
【００１１】
好ましくは、一覧表示手段は、静止画像が動画像と関連付けられている場合は、動画像が関連付けられていることを示す印を静止画像の識別情報とともに表示する。
【００１２】
この局面に従えば、動画像が関連付けられていることを示す印が静止画像の識別情報とともに表示されるので、ユーザに静止画像が動画像と関連付けられていることを通知することができる。
【００１３】
好ましくは、一覧表示手段により表示された識別情報を指示する操作が操作受付手段により受け付けられると、指示された識別情報により特定される静止画像または動画像を表示する再生手段を、さらに備え、再生手段は、指示された識別情報により特定される静止画像が動画像と関連付けられている場合、静止画像を表示した後に、静止画像に関連付けられた動画像を表示する。
【００１４】
この局面に従えば、１回の操作で関連付けられた静止画像と動画像とが表示されるので、操作を容易にすることができる。
【００１５】
好ましくは、関連付けられた静止画像および動画像の関連付けを解除する解除手段を、さらに備える。
【００１６】
この局面に従えば、関連付けられた静止画像および動画像の関連付けが解除されるので、表示、削除等の別の処理を静止画像および動画像各々に対して独立して実行することができる。
【発明を実施するための形態】
【００１７】
以下、本発明の実施の形態について図面を参照して説明する。以下の説明では同一の部品には同一の符号を付してある。それらの名称および機能も同じである。従ってそれらについての詳細な説明は繰り返さない。
【００１８】
本実施の形態においては、撮像装置の一例としてビデオカメラについて説明する。図１は、本実施の形態の１つにおけるビデオカメラの構成の概略を示すブロック図である。図１を参照して、ビデオカメラ１０は、ビデオカメラ１０の全体を制御する中央演算装置（ＣＰＵ）１１と、ＣＰＵ１１が実行するためのプログラム等を記憶するＲＯＭ（Ｒｅａｄ  Ｏｎｌｙ  Ｍｅｍｏｒｙ）１３と、タイミング生成部（ＴＧ）１５と、レンズ１６と、イメージセンサ１７と、マイクロホン２１と、アナログ／デジタル変換部（Ａ／Ｄ）１９，２３と、メモリ制御部２５と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２７と、ＬＣＤドライバ２９と、液晶表示装置（ＬＣＤ）３１と、ＪＰＥＧ（Ｊｏｉｎｔ  Ｐｈｏｔｏｇｒａｐｈｉｃ  Ｅｘｐｅｒｔｓ  Ｇｒｏｕｐ）−ＣＯＤＥＣ３３と、ＭＰＥＧ（Ｍｏｖｉｎｇ  Ｐｉｃｔｕｒｅ  Ｅｘｐｅｒｔｓ  Ｇｒｏｕｐ）−ＣＯＤＥＣ３５と、大容量記憶装置としてのハードディスクドライブ（ＨＤＤ）３７と、操作部４１と、を含む。
【００１９】
ＣＰＵ１１、メモリ制御部２５、ＪＰＥＧ‐ＣＯＤＥＣ３３およびＭＰＥＧ‐ＣＯＤＥＣ３５それぞれは、バス３９に接続されている。ＴＧ１５は、ＣＰＵ１１により制御され、イメージセンサ１７の撮像（光電変換）タイミングを制御する。イメージセンサ１７は、ＴＧ１５から入力されるタイミングに従って、レンズ１６を介して結像する被写体像の画像を光電変換した画像をＡ／Ｄ１９に出力する。Ａ／Ｄ１９は、入力されるアナログ信号の画像のデータをデジタル信号に変換し、メモリ制御部２５に出力する。
【００２０】
また、マイクロホン２１は、音を集音し、アナログ信号の音データを、Ａ／Ｄ２３に出力する。Ａ／Ｄ２３は、マイクロホン２１から入力されるアナログ信号の音データをデジタル信号に変換し、メモリ制御部２５に出力する。
【００２１】
メモリ制御部２５は、Ａ／Ｄ１９から入力される画像をＳＤＲＡＭ２３の表示画像エリアに格納し、Ａ／Ｄ２３から入力される音をＳＤＲＡＭの音エリアに格納する。ＬＣＤドライバ２９は、ＳＤＲＡＭ２３の表示画像エリアに格納された画像のデジタル信号のデータを、Ｒ（赤）Ｇ（緑）Ｂ（青）のアナログ信号のデータに変換し、ＬＣＤ２７に出力する。これにより、ＬＣＤ２７に画像が表示される。
【００２２】
操作部４１は、静止画撮像ボタン４３と録画開始／停止ボタン４５とを含む、ユーザの操作を受け付けるための複数のボタンを有する。操作部４１は、静止画撮像ボタン４３が押下されると、静止画撮像ボタン４３が押下されたことを示す信号をＣＰＵ１１に出力し、録画開始／停止ボタン４５が押下されると、静止画撮像ボタン４３が押下されたことを示す信号をＣＰＵ１１に出力する。また、操作部４１は、ＬＣＤ３１に重畳して設けられるタッチパネルを含み、ユーザがＬＣＤ３１の表示面を指で指示すると、指示された位置を受け付ける。
【００２３】
ＪＰＥＧ−ＣＯＤＥＣ３３は、ＣＰＵ１１により制御され、ＳＤＲＡＭ２３に格納されたデジタル信号の画像データを圧縮符合化し、ＪＰＥＧフォーマットの符号化データに変換し、また、ＪＰＥＧフォーマットの符号化データを復号し、デジタル信号の画像データに変換する。
【００２４】
ＭＰＥＧ−ＣＯＤＥＣ３５は、ＣＰＵ１１により制御され、ＳＤＲＡＭ２３に時系列に格納される複数フレームの画像のデータと、音のデータとを圧縮符号化し、ＭＰＥＧフォーマットの符号化データに変換し、また、ＭＰＥＧフォーマットの符号化データを復号し、画像のデータと音のデータとに変換する。ＪＰＥＧ−ＣＯＤＥＣ３３が、１フレームの画像を符号化または復号するのに対して、ＭＰＥＧ−ＣＯＤＥＣ３５は、複数フレームの画像からなる動画像と音のデータを符号化または復号する。
【００２５】
なお、ここでは、大容量記憶装置としてＨＤＤ３７を備える例を説明したが、ＨＤＤ３７に代えて、内蔵のフラッシュメモリであってもよいし、着脱可能な光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などを用いてもよい。
【００２６】
図２は、ＣＰＵの機能の概要をＨＤＤ３７に記憶されるデータとともに示す機能ブロック図である。図２を参照して、ＣＰＵ１１は、ユーザによる操作を受け付ける操作受付部５１と、撮像条件を設定する撮像条件設定部５３と、レンズ１６およびＴＧ１５を制御する撮像制御部５５と、イメージセンサ１７が出力する画像を取得する画像取得部６１と、取得された画像をＨＤＤ３７に記憶する記憶部６７と、解除部７１と、ＬＣＤ３１に画像を表示する表示制御部７３と、を含む。なお、ここで画像とは、動画像と静止画像とを含む。
【００２７】
操作受付部５１は、ユーザが操作部４１に入力する操作を受け付ける。ユーザが静止画撮像ボタン４３を押下すると、操作部４１が出力する静止画撮像ボタン４３が押下されたことを示す信号を受け付ける。操作受付部５１は、静止画撮像ボタン４３が押下されたことを示す信号を受け付けると、静止画像撮像指示を撮像制御部５５に出力する。ユーザが録画開始／停止ボタン４５を押下すると、操作部４１が出力する録画開始／停止ボタン４５が押下されたことを示す信号を受け付ける。操作受付部５１は、録画開始／停止ボタン４５が押下されたことを示す信号を受け付けると、録画開始指示または録画停止指示のいずれかを撮像制御部５５に出力する。操作部４１から録画開始／停止ボタン４５が押下されたことを示す信号を受け付ける順番が奇数の場合に録画開始指示を出力し、偶数の場合に録画停止指示を出力する。すなわち、録画開始／停止ボタン４５がユーザにより押下される毎に、録画開始指示と録画停止指示とのいずれか一方を交互に出力する。
【００２８】
撮像条件設定部５３は、撮像条件設定画面をＬＣＤ３１に表示し、ユーザが撮像条件設定画面に従って撮像条件を操作部４１に入力すると、入力される撮像条件を操作受付部５１から受け付け、受け付けられた撮像条件をＨＤＤ３７に記憶する。撮像条件は、動画を撮像するための動画撮像条件８１と、静止画を撮像するための静止画撮像条件８３と、を含み、ＨＤＤ３７に記憶する。ＨＤＤ３７には、予めデフォルトの撮像情報が記憶されており、撮像条件設定部５３は、撮像条件が入力されると、デフォルトの値を入力された撮像条件で更新する。静止画撮像条件８３は、レンズ１６の絞り、シャッター速度（イメージセンサ１７の露光時間）、ＩＳＯ感度、ホワイトバランス、および記録する静止画像のサイズを含む。動画撮像条件８１は、レンズ１６の絞り、シャッター速度（イメージセンサ１７の露光時間）、ＩＳＯ感度、ホワイトバランスに加えて、フレームレートおよびフレームサイズを含む。フレームとは、イメージセンサ１７が出力する１枚の画像である。ただし、動画撮像条件８１のうちフレームレートおよびフレームサイズは、ユーザが操作部４１に入力して変更可能であるが、他の撮像条件は、予め定められたデフォルト値に設定されており、ユーザは変更することができない。
【００２９】
また、静止画撮像条件８３として設定される静止画像のサイズは、２５９２×１９４４、３６８０×２７６０、１６００×１２００、６４０×４８０のうちから選択可能であるのに対して、動画撮像条件８１として設定されるフレームサイズは、横×縦の画素数が、６４０×４８０、３２０×２４０、１７６×１４４のうちから選択可能である。なお、サイズは、記号×の左側を横の画素数で示し、記号×の右側を縦の画素数で示している。従って、静止画撮像条件８３において静止画像のサイズが、６４０×４８０に設定される場合を除き、動画像のフレームサイズよりの画素数が多くなり、画質が良い。
【００３０】
また、静止画撮像条件８３として設定されるシャッター速度は、１／１０００秒〜数十秒の間で設定可能であるが、動画撮像条件８１ではユーザは変更することができず、フレームレートによって予め定められた値に設定される。また、動画像を撮像する際の、レンズの絞りは、予め定められており、ここでは開放の値としている。
【００３１】
さらに、静止画撮像条件８３として設定されるＩＳＯ感度は、予め定められた複数の候補のうちからユーザが選択可能であるのに対して、動画撮像条件８１ではユーザは変更することができず、予め定められた値に設定される。
【００３２】
このように、静止画撮像条件８３は、動画撮像条件８１に比較して、ユーザが設定可な範囲が広いため、ユーザは、撮像する被写体に応じて、または、静止画像の仕上がり具合を考慮して、設定することができる。このため、静止画像は、動画像に比較して、画質が良く、また、同じ被写体を同じ環境で撮像する場合であっても、静止画撮像条件８３が異なれば異なる静止画像が得られる。このため、ユーザは、静止画撮像条件８３を設定することによって、複数種類の静止画像を記録することができる。
【００３３】
撮像制御部５５は、動画の撮像を制御する動画撮像部５７と、静止画の撮像を制御する静止画撮像部５９と、を含む。撮像制御部５５は、操作受付部５１から静止画像撮像指示が入力されると、静止画撮像部５９を能動化し、イメージセンサ１７に静止画像を出力させる。撮像制御部５５は、操作受付部５１から録画開始指示が入力されると、まず、静止画撮像部５９を能動化し、イメージセンサ１７に静止画像を出力させた後、動画撮像部５７を能動化し、次に操作受付部５１から録画停止指示が入力されるまでイメージセンサ１７に動画像を出力させる。また、操作受付部５１から録画開始指示が入力される場合、記憶部６７に関連付指示を出力する。
【００３４】
動画撮像部５７は、ＨＤＤ３７に記憶された動画撮像条件８１を読出し、動画撮像条件８１に従って、レンズ１６およびＴＧ１５を制御し、イメージセンサ１７に光電変換させるとともに、画像取得部６１に動画取得指示を出力する。これにより、レンズ１６は、動画撮像条件８１で定められる絞り量に制御され、イメージセンサ１７は、動画撮像条件８１で定められるシャッター速度で光電変換し、動画撮像条件８１で定められるフレームレートで定まる間隔で、複数の連続するフレームの画像を出力する。
【００３５】
静止画撮像部５９は、ＨＤＤ３７に記憶された静止画撮像条件８３を読出し、静止画撮像条件８３に従って、レンズ１６およびＴＧ１５を制御し、イメージセンサ１７に光電変換させるとともに、画像取得部６１に静止画取得指示を出力する。これにより、レンズ１６は、静止画撮像条件８３で定められる絞り量に制御され、イメージセンサ１７は、静止画撮像条件で定められるシャッター速度で光電変換し、１枚の静止画のデータを出力する。
【００３６】
画像取得部６１は、静止画像取得部６３と、動画像取得部６５とを含む。静止画像取得部６３は、撮像制御部５５から静止画像取得指示が入力されると、イメージセンサ１７が出力する静止画像を取得する。そして、静止画像取得部６３は、ＨＤＤ３７に記憶された静止画撮像条件８３を読出し、取得された静止画像を、静止画撮像条件８３のＩＳＯ感度、ホワイトバランスおよびサイズに従って画像処理する。次に、静止画像取得部６３は、ＪＰＥＧ‐ＣＯＤＥＣ３３を制御して画像処理後の静止画像を符号化させ、記憶部６７に出力する。記憶部６７は、メモリ制御部２５を制御して、圧縮符号化された静止画像の符号化データを、それにファイル名を付してＨＤＤ３７に記憶させる。これにより、ＨＤＤ３７に静止画像８５が記憶される。
【００３７】
動画像取得部６５は、撮像制御部５５から動画像取得指示が入力されると、イメージセンサ１７が連続して出力するフレームを順に取得する。そして、動画像取得部６５は、ＨＤＤ３７に記憶された動画撮像条件８１を読出し、取得された連続するフレームそれぞれを、動画撮像条件８１のＩＳＯ感度、ホワイトバランスおよびサイズに従って画像処理する。次に、動画像取得部６５は、ＭＰＥＧ‐ＣＯＤＥＣ３５を制御して画像処理後の複数のフレームを符号化させ、記憶部６７に出力する。記憶部６７は、動画像の符号化データが入力されると、メモリ制御部２５を制御圧縮符号化された動画像の符号化データを、それにファイル名を付してＨＤＤ３７に記憶させる。これにより、ＨＤＤ３７に動画像８７が記憶される。
【００３８】
記憶部６７は、関連付部６９を含む。関連付部６９は、撮像制御部５５から関連付指示が入力される。関連付指示が入力されるのは、撮像制御部５５が操作受付部５１から録画開始指示が入力される場合である。このため、静止画像取得部６３から静止画像が入力された後に、動画像が入力される。関連付部６９は、ＨＤＤ３７に記憶された静止画像８５と動画像８７とを関連付ける関連付情報を生成し、ＨＤＤ３７に記憶する。これにより、関連付情報８９がＨＤＤ３７に記憶される。関連付情報８９は、静止画像８５のファイル名と、動画像８７のファイル名とを含む。ユーザによる動画の撮像を指示する１回の操作で撮像される２つの静止画像８５と動画像８７とを関連付けることにより、それらに対する表示、削除等の別の処理を関連して実行することができ、管理が容易となる。
【００３９】
表示制御部７３は、一覧表示部７５と、再生部７７とを含む。一覧表示部７５は、ＨＤＤ３７に記憶されている静止画像８５および／または動画像８７を識別するための識別情報を配置した一覧を表示する。ここでは、静止画像８５の識別情報は、静止画像８５を所定のサイズに縮小した画像（以下「サムネイル」という）であり、動画像８７の識別情報は、動画像８７の所定のフレームのサムネイルである。所定のフレームは、最初のフレームとしている。なお、複数のフレームのうちから予め定められた条件に該当するフレームを抽出するようにしてもよい。サムネイルは、静止画像８５または動画像８７を識別するための識別情報であり、対応する静止画像８５または動画像８７のファイル名と拡張子のみが異なるファイル名が付される。このため、サムネイルのファイル名は、対応する静止画像８５または動画像８７を識別するための識別情報でもある。
【００４０】
一覧表示部７５は、ユーザが操作部４１に一覧表示操作を入力すると、操作受付部５１から一覧表示指示を受け付ける。一覧表示部７５は、一覧表示指示を受け付けると、静止画像８５および／または動画像８７のサムネイルを配置した一覧表示画面を生成し、ＬＣＤドライバ２９を制御して、ＬＣＤ３１に表示する。一覧表示画面は、ユーザが、ＨＤＤ３７に記憶された静止画像８５および動画像８７のいずれか１つを選択するための画面である。ここでは、一覧表示画面は、静止画像８５および動画像８７を選択するための画面としている。
【００４１】
一覧表示部７５は、動画像８７のサムネイルを一覧表示画面に配置する際に、動画像８７のファイル名を含む関連付情報８９を検索する。一覧表示部７５は、関連付情報８９を抽出したならば、動画像８７が静止画像８５と関連付けられていると判断し、一覧表示画面に、動画像８７のサムネイルに代えて、その動画像８７と関連付情報８９によって関連付けられている静止画像８５のサムネイルを配置する。さらに、一覧表示部７５は、静止画像８５のサムネイルの近傍に、静止画像であることを示す印と、動画像８７が関連付けられていることを示す印を配置する。静止画像であることを示す印は、例えば、カメラの画像であり、動画像８７が関連付けられていることを示す印は、例えば、ビデオカメラの画像である。
【００４２】
一方、一覧表示部７５は、関連付情報８９を抽出しない場合は、動画像８７のサムネイル（動画像８７の所定のフレームのサムネイル）を配置する。この場合、一覧表示部７５は、静止画像８５のサムネイルの近傍に、動画像であることを示す印を配置する。動画像であることを示す印は、例えば、ビデオカメラの画像である。なお、ここでは、動画像８７が関連付けられていることを示す印と、動画像であることを示す印と、を同じビデオカメラの画像としたが、異なる画像としてもよい。
【００４３】
また、一覧表示部７５は、静止画像８５のサムネイルを一覧表示画面に配置する際に、静止画像８５のファイル名を含む関連付情報８９を検索する。一覧表示部７５は、関連付情報８９を抽出しないならば、静止画像８５が動画像８７と関連付けられていないと判断し、静止画像８５のサムネイルを一覧表示画面に配置する。さらに、一覧表示部７５は、静止画像８５のサムネイルの近傍に、静止画像であることを示す印を配置する。
【００４４】
一方、一覧表示部７５は、静止画像８５のサムネイルを一覧表示画面に配置する際に、関連付情報８９を抽出したならば、静止画像８５が動画像８７と関連付けられていると判断し、一覧表示画面に、静止画像８５のサムネイルを配置しない。
【００４５】
一覧表示部７５が生成する一覧表示画面は、動画像が静止画像と関連付けられている場合は、動画像のサムネイルに代えて静止画像のサムネイルを配置したものなので、動画像のサムネイルと静止画像のサムネイルとを配置する場合に比較して表示領域を有効に利用することができる。また、１回の操作で動画像と静止画像とを選択することができる。
【００４６】
なお、一覧表示画面を静止画像８５を選択するための画面とする場合、一覧表示部７５は、ＨＤＤ３７に記憶されている静止画像８５それぞれについて、静止画像８５のサムネイルを一覧表示画面に配置する。さらに、一覧表示部７５は、静止画像８５のファイル名を含む関連付情報８９を検索し、関連付情報８９を抽出する場合は、サムネイルの近傍に、動画像８７と関連付けられていることを示す印を配置する。
【００４７】
また、一覧表示画面を動画像８７を選択するための画面とする場合、一覧表示部７５は、ＨＤＤ３７に記憶されている動画像８７それぞれについて、動画像８７のファイル名を含む関連付情報８９を検索し、関連付情報８９を抽出する場合は、その動画像８７と関連付情報８９によって関連付けられている静止画像８５のサムネイルを配置し、関連付情報８９を抽出しない場合は、その動画像８７のサムネイルを配置する。この場合、一覧表示部７５は、一覧表示画面に動画像８７と関連付けられている静止画像８５のサムネイルを配置する場合、サムネイルの近傍に、静止画像８５と関連付けられていることを示す印を表示する。静止画像８５と関連付けられていることを示す印は、例えば、カメラを模した画像である。
【００４８】
図３は、一覧表示画面の一例を示す図である。図３を参照して、一覧表示画面１００は、サムネイル１０１、１１１、１２１を含む。ここでは、サムネイル１０１、１１１、１２１を、説明のためにサムネイル１〜サムネイル３の文字を付して示しているが、実際には画像として表示される。サムネイル１０１の下方の領域１０３に、そのサムネイルで特定される静止画像のファイル名として「ａａａ．ｊｐｇ」が表示され、サムネイル１１１の下方の領域１１５に、そのサムネイルで特定される動画像のファイル名として「ｂｂｂ．ｍｐｇ」が表示され、サムネイル１２１の下方の領域１２３に、そのサムネイルで特定される静止画像のファイル名として「ｃｃｃ．ｊｐｇ」が表示される。領域１２３の下方の領域１２５は、ファイル名として「ｃｃｃ．ｊｐｇ」に関連付けられた動画像のファイル名として「ｃｃｃ．ｍｐｇ」が表示される。
【００４９】
また、サムネイル１０１の左上には、カメラの図形１０５が表示されており、サムネイル１０１が、静止画像を特定する識別情報であることが示される。また、サムネイル１１１の右上には、ビデオカメラの図形１０７が表示されており、サムネイル１１１が、動画像を特定する識別情報であることが示される。さらに、サムネイル１２１の左上にカメラの図形１０５が表示され、右上にビデオカメラの図形１０７が表示あれており、サムネイル１０１が、静止画像を特定する識別情報であること、およびその静止画像が動画像と関連付けられていることが示される。
【００５０】
図２に戻って、一覧表示部７５は、ユーザがＬＣＤ３１に表示された一覧表示画面に含まれるサムネイルのいずれか１つを選択する操作を操作部４１に入力すると、指示されたサムネイルの一覧表示画面中の位置を操作受付部５１から取得する。一覧表示部７５は、取得された位置から指示されたサムネイルを特定し、そのサムネイルで特定される静止画像８５または動画像８７のファイル名を、再生部７７および解除部７１に出力する。
【００５１】
一覧表示画面がＬＣＤ３７に表示されている段階で、ユーザが、１つのサムネイルを選択した後、再生を指示する操作を操作部４１に入力すると、再生部７７は、操作受付部５１から再生指示を受け付ける。再生部７７は、再生指示を受け付けると、一覧表示部７５から入力されるファイル名が付された静止画像８５または動画像８７を再生する。再生部７７は、一覧表示部７５から入力されるファイル名が静止画像８５の場合、その静止画像８５のファイル名を含む関連付情報８９を検索する。再生部７７は、関連付情報８９を抽出しないならば、静止画像８５を再生し、関連付情報８９を抽出したならば、静止画像８５を所定時間再生した後、抽出された関連付情報８９に含まれる動画像のファイル名で特定される動画像８７を再生する。再生部７７は、一覧表示部７５から入力されるファイル名が動画像８７の場合、その動画像８７を再生する。再生部７７は、静止画像８５が関連付情報８９によって動画像８７と関連付けられている場合は、静止画像８５を所定時間再生した後、その静止画像８５に関連付情報８９によって関連付けられた動画像８７が再生されるので、再生を指示する１回の操作で関連付けられた静止画像と動画像とを表示することができ、操作を簡便にすることができる。
【００５２】
再生部７７は、静止画像８５を再生する場合、ＪＰＥＧ‐ＣＯＤＥＣ３３を制御して、静止画像８５を復号し、ＬＣＤドライバ２９を制御して、復号された静止画像８５をＬＣＤ３１に表示する。また、再生部７７は、動画像８７を再生する場合、ＭＰＥＧ‐ＣＯＤＥＣ３５を制御して、動画像８７を復号し、ＬＣＤドライバ２９を制御して、復号された動画像８７をＬＣＤ３１に表示する。
【００５３】
一覧表示画面がＬＣＤ３７に表示されている段階で、ユーザが、１つのサムネイルを選択した後、削除する操作を操作部４１に入力すると、解除部７１は、操作受付部５１から削除指示を受け付ける。解除部７１は、削除指示を受け付けると、一覧表示部７５から入力されるファイル名を含む関連付情報８９が存在すれば、それをユーザから指示があることを条件に削除する。具体的には、解除部７１は、一覧表示部７５から入力されるファイル名を含む関連付情報８９が存在しなければ、そのファイル名で特定される静止画像８５または動画像８７をＨＤＤ３７から削除するが、一覧表示部７５から入力されるファイル名を含む関連付情報８９が存在すれば、関連付けを解除することを確認するための確認画面を、ＬＣＤドライバ２９を制御して、ＬＣＤ３１に表示する。そして、ユーザが操作部４１に解除する操作を操作部４１に入力すると、解除部７１は、操作受付部５１から解除指示を受け付ける。解除部７１は、解除指示を受け付けると、一覧表示部７５から入力されるファイル名を含む関連付情報８９をＨＤＤ３７から削除する。解除部７１により関連付情報８９が削除されると、その関連付情報８９によって関連付けられた静止画像８５および動画像８７各々に対して、削除等の別の処理を独立して実行することができる。
【００５４】
さらに、解除部７１は、関連付情報を削除した後、静止画像と動画像とのいずれを削除するかを問い合わせる選択画面を、ＬＣＤドライバ２９を制御して、ＬＣＤ３１に表示する。そして、ユーザが操作部４１に動画像または静止画像のいずれかを選択する操作を操作部４１に入力すると、解除部７１は、操作受付部５１から選択指示を受け付ける。解除部７１は、動画像を選択することを示す選択指示を受け付ける場合、動画像８７をＨＤＤ３７から削除し、静止画像を選択することを示す選択指示を受け付ける場合、静止画像８５をＨＤＤ３７から削除する。
【００５５】
図４は、撮像処理の流れの一例を示すフローチャートである。撮像処理は、ＣＰＵ１１がＲＯＭ１３に記憶された撮像プログラムを実行することにより、ＣＰＵ１１により実行される処理である。図３を参照して、ＣＰＵ１１は、静止画を撮像する操作を受け付けたか否かを判断する（ステップＳ０１）。具体的には、静止画撮像ボタン４３が押下されたか否かを判断する。静止画撮像ボタン４３が押下されたならば処理をステップＳ０２に進めるが、そうでなければ処理をステップＳ０６に進める。ステップＳ０２においては、ＨＤＤ３７に記憶されている静止画撮像条件８３を読み出す。そして、静止画撮像条件８３に従って、レンズ１６およびＴＧ１５を制御して、静止画を撮像する（ステップＳ０３）。次に、イメージセンサ１７が出力する静止画像を取得し（ステップＳ０４）、取得された静止画像をＨＤＤ３７に記憶し（ステップＳ０５）、処理を終了する。
【００５６】
ステップＳ０６においては、動画像の撮像を開始するための録画開始操作を受け付けたか否かを判断する。具体的には、録画開始／停止ボタン４５が押下されたか否かを判断する。録画開始／停止ボタン４５が押下されたならば処理をステップＳ０７に進めるが、そうでなければ処理をステップＳ０１に戻す。
【００５７】
ステップＳ０７〜ステップＳ１０は、ステップＳ０２〜ステップＳ０５と同じである。従ってここでは説明を繰り返さない。ステップＳ１１においては、ＨＤＤ３７に記憶されている動画撮像条件８１を読み出す。そして、静止画撮像条件８３に従って、レンズ１６およびＴＧ１５を制御して、動画の撮像を開始する（ステップＳ１２）。そして、動画像とステップＳ１０においてＨＤＤ３７に記憶された静止画像とを関連付ける（ステップＳ１３）。具体的には、後述するステップＳ１５において動画像をＨＤＤ３７に記憶する際に動画像に付与されるファイル名をこの段階で決定し、決定した動画像のファイル名とステップＳ１０においてＨＤＤ３７に記憶された静止画像のファイル名とを含む関連付情報を生成し、ＨＤＤ３７に記憶する。なお、関連付情報を生成することなく、動画像のファイル名と静止画像のファイル名とを、拡張子のみが異なり他の部分が同じファイルにすることによって、関連付けするようにしてもよい。
【００５８】
ステップＳ１４において、イメージセンサ１７が出力する動画像を取得する。そして、取得された動画像にステップＳ１３において付与されたファイル名でＨＤＤ３７に記憶する。
【００５９】
次のステップＳ１６においては、動画像の撮像を終了するための録画終了操作を受け付けたか否かを判断する。具体的には、録画開始／停止ボタン４５が押下されたか否かを判断する。録画開始／停止ボタン４５が押下されたならば処理をステップＳ１７に進めるが、そうでなければ処理をステップＳ１４に戻し、動画像の記録を継続する。
【００６０】
ステップＳ１７においては、レンズ１６およびＴＧ１５の制御を終了することにより、動画像の撮像を終了し、処理を終了する。
【００６１】
図５および図６は、再生処理の流れの一例を示すフローチャートである。再生処理は、ＣＰＵ１１がＲＯＭ１３に記憶された撮像プログラムを実行することにより、ＣＰＵ１１により実行される処理である。図５および図６を参照して、ＣＰＵ１１は、一覧表示操作を受け付けたか否かを判断する（ステップＳ２１）。ユーザが操作部４１に、一覧表示画面を表示させるための操作を入力すると、一覧表示操作を受け付ける。一覧表示操作を受け付けるまで待機状態となり（ステップＳ２１でＮＯ）、一覧表示装置を受け付けたならば処理をステップＳ２２に進める。
【００６２】
ステップＳ２２においては、ＨＤＤ３７に記憶されているデータを選択する。データは、静止画像８５と動画像８７とを含む。そして、選択されたデータが動画像か否かを判断する（ステップＳ２３）。動画像ならば処理をステップＳ２４に進めるが、そうでなければ処理をステップＳ３５に進める。
【００６３】
ステップＳ２４においては、ステップＳ２２で選択された動画像のファイル名を含む関連付情報がＨＤＤ３７に記憶されているか否かを判断する。そのような関連付情報がＨＤＤ３７に記憶されていれば処理をステップＳ２５に進めるが、そうでなければ処理をステップＳ３０に進める。ステップＳ２５においては、ステップＳ２２で選択された動画像のファイル名を含む関連付情報に含まれる静止画像のファイル名で特定される静止画像を、ＨＤＤ３７から読み出す。そして、読み出された静止画像のサムネイルを生成する（ステップＳ２６）。さらに、生成されたサムネイルを一覧表示画面に配置する（ステップＳ２７）。そして、カメラの図形をサムネイルの近傍に配置し（ステップＳ２８）、ビデオカメラの図形をサムネイルの近傍に配置し（ステップＳ２９）、処理をステップＳ４１に進める。
【００６４】
処理がステップＳ３０に進む場合、動画像が読み出され、その動画像のファイル名を含む関連付情報がＨＤＤ３７に記憶されていない場合である。この場合には、動画像をＨＤＤ３７から読出し（ステップＳ３０）、読み出された動画像から所定のフレームを抽出する（ステップＳ３１）。ここでは、先頭のフレームを抽出する。そして、抽出されたフレームのサムネイルを生成し（ステップＳ３２）、生成されたサムネイルを一覧表示時画面に配置する（ステップＳ３３）。そして、ビデオカメラの図形をサムネイルの近傍に配置し（ステップＳ３４）、処理をステップＳ４１に進める。
【００６５】
一方、ステップＳ３５においては、ステップＳ２２において選択されたデータが静止画像か否かを判断する。静止画像ならば処理をステップＳ３６に進めるが、そうでなければ処理をステップＳ４１に進める。
【００６６】
ステップＳ３６においては、ステップＳ２２で選択された静止画像のファイル名を含む関連付情報がＨＤＤ３７に記憶されているか否かを判断する。そのような関連付情報がＨＤＤ３７に記憶されていれば処理をステップＳ４１に進めるが、そうでなければ処理をステップＳ３７に進める。静止画像のファイル名を含む関連付情報がＨＤＤ３７に記憶されている場合、ステップＳ２５〜ステップＳ２７において、その静止画像のサムネイルが一覧表示画面に配置されるため、同じ静止画像のサムネイルが２つ以上表示されるのを防止するためである。
【００６７】
ステップＳ３７〜ステップＳ４０の処理は、ステップＳ２５〜ステップＳ２８の処理と同じである。従って、ここでは説明を繰り返さない。ステップＳ４０において、サムネイルの近傍にカメラの図形を配置した後、処理をステップＳ４１に進める。
【００６８】
ステップＳ４１においては、次のデータがＨＤＤ３７に記憶されているか否かを判断する。処理対象とするべき未処理のデータが記憶されていれば処理をステップＳ２２に戻し、そうでなければ処理をステップＳ４２に進める。
【００６９】
ステップＳ４２においては、一覧表示画面をＬＣＤ２１に表示する。そして、再生終了操作を受け付けたか否かを判断する（ステップＳ４３）。ユーザが操作部４１が有する複数のボタンのうち再生終了操作が予め割り当てられたボタンを指示すると、操作部４１から再生終了操作を受け付ける。再生終了操作を受け付けたならば処理を終了するが、そうでなければ処理をステップＳ４４に進める。ステップＳ４４においては、サムネイルを指定する操作を受け付けたか否かを判断する。サムネイルが指定されるまで待機状態となり（ステップＳ４４でＮＯ）、サムネイルが指定されたならば（ステップＳ４４でＹＥＳ）、処理をステップＳ４５に進める。
【００７０】
ステップＳ４５においては、再生操作を受け付けたか否かを判断する。再生操作を受け付けたならば処理をステップＳ４６に進めるが、そうでなければ処理をステップＳ５４に進める。ステップＳ４６においては、ステップＳ４４において指定されたサムネイルで特定されるデータが静止画像か否かを判断する。静止画像ならば処理をステップＳ４７に進めるが、そうでなければ処理をステップＳ５１に進める。
【００７１】
ステップＳ４７においては、ステップＳ４４において指定されたサムネイルで特定される静止画像を、ＨＤＤ３７から読み出す。そして、読み出された静止画像を、ＬＣＤ３１に所定時間表示し（ステップＳ４８）、処理をステップＳ４９に進める。
【００７２】
ステップＳ４９においては、ステップＳ４４において指定されたサムネイルで特定される静止画像のファイル名を含む関連付情報が存在するか否かを判断する。そのような関連付情報が存在すればその関連付情報を読出し、処理をステップＳ５０に進めるが、そうでなければ処理をステップＳ５３に進める。ステップＳ５３においては、再生終了操作を受け付けたか否かを判断する。再生終了操作を受け付けるまで待機状態となり（ステップＳ５３でＮＯ）、再生終了操作を受け付けると（ステップＳ５３でＹＥＳ）、処理をステップＳ４２に戻す。
【００７３】
ステップＳ５０においては、ステップＳ４８において静止画像を表示してから所定時間Ｎが経過するまで待機状態となり（ステップＳ５０でＮＯ）、所定時間Ｎが経過すると（ステップＳ５０でＹＥＳ）、処理をステップＳ５１に進める。所定時間は、ここでは１秒としている。なお、所定時間Ｎは、これに限定されることなく、任意の時間を予め定めることができる。ステップＳ５１においては、ステップＳ４９において読み出された関連付情報に含まれる動画像のファイル名で特定される動画像を再生および表示する。そして、再生が終了するまで待機状態となり（ステップＳ５２でＮＯ）、再生が終了すると（ステップＳ５２でＹＥＳ）、処理をステップＳ４２に戻す。
【００７４】
サムネイルが指定されて、再生指示が入力される場合、サムネイルで特定される静止画像に動画像が関連付けられていると、静止画像を所定時間表示した後に、動画像を再生する。このため、ユーザは、最初に鮮明な静止画像を閲覧した後に、それに続く動画像を閲覧することができる。
【００７５】
一方ステップＳ５４においては、データを削除する操作を受け付けたか否かを判断する。データを削除する操作を受け付けたならば処理をステップＳ５５に進め、そうでなければ処理をステップＳ４５に戻す。ステップＳ５５においては、ステップＳ４４において指定されたサムネイルで特定されるデータが静止画像か否かを判断する。静止画像ならば処理をステップＳ５６に進めるが、そうでなければ処理をステップＳ６１に進める。ステップＳ６１においては、ステップＳ４４において指定されたサムネイルで特定される動画像を、ＨＤＤ３７から削除し、処理をステップＳ４２に戻す。
【００７６】
ステップＳ５６においては、ステップＳ４４において指定されたサムネイルで特定される静止画像のファイル名を含む関連付情報が存在するか否かを判断する。そのような関連付情報が存在すればその関連付情報を読出し、処理をステップＳ５７に進めるが、そうでなければ処理をステップＳ６０に進める。
【００７７】
ステップＳ５７においては、読み出された関連付情報をＨＤＤ３７から削除し、処理をステップＳ５８に進める。これにより、動画像と静止画像との関連付けが解消され、それぞれ独立したデータとなる。
【００７８】
ステップＳ５８においては、動画像と静止画像とのいずれか一方を選択するための選択画面をＬＣＤ３１に表示し、処理をステップＳ５９に進める。ステップＳ５９においては、動画像と静止画像とのいずれが選択されたか否かを判断する。静止画像が選択されたならば処理をステップＳ６０に進め、そうでなく動画像が選択されたならば処理をステップＳ６１に進める。
【００７９】
ステップＳ６０においては、ステップＳ５６において読み出された関連付情報で特定される静止画像をＨＤＤ３７から削除し、処理をステップＳ４２に戻す。ステップＳ６０においては、ステップＳ５６において読み出された関連付情報で特定される動画像を削除し、処理をステップＳ４２に戻す。
【００８０】
以上説明したように、本実施の形態におけるビデオカメラ１０は、動画の撮像を指示するための操作が割り当てられた録画開始／停止ボタン４５が押下されると、静止画を撮像した後に、動画像を撮像し、静止画の撮像を指示するための操作が割り当てられた静止画撮像ボタン４３が押下されると、静止画を撮像する。ユーザが静止画撮像ボタンを押下するべきところを誤って録画開始／停止ボタンを押下した場合であっても、録画開始／停止ボタンを押下した時点における静止画像が撮像される。このため、ユーザが誤操作により静止画像を撮像するタイミングを逃してしまうのを回避することができる。
【００８１】
また、ユーザが動画の撮像を指示するための操作が割り当てられた録画開始／停止ボタン４５を押下することに応じて撮像された静止画像と動画像とが関連付情報８９によって関連付けられるので、１回の操作で撮像される２つの静止画像と動画像との管理が容易となる。
【００８２】
また、静止画像８５および動画像８７それぞれを識別するためのサムネイルを表示する際に、動画像が静止画像と関連付けられている場合は、動画像８７のサムネイルに代えて該動画像に関連付けられた静止画像８５の識別情報が表示される。関連付けられた動画像８７と静止画像８５のうち静止画像８５のサムネイルを表示するので、一覧表示画面の表示領域を有効に利用することができる。また、１回の操作で動画像８７と静止画像８５とを選択することができる。
【００８３】
一覧表示画面には、動画像が関連付けられていることを示す印としてビデオカメラの絵が静止画像８５のサムネイルとともに表示するので、ユーザに静止画像８５が動画像８７と関連付けられていることを通知することができる。
【００８４】
さらに、一覧表示画面においてサムネイルを指示する操作が受け付けられると、指示されたサムネイルにより特定される静止画像が動画像と関連付けられている場合、静止画像を表示した後に、静止画像に関連付けられた動画像を表示する。このため、１回の操作で関連付けられた静止画像と動画像とを表示するので、操作を容易にすることができる。
【００８５】
さらに、関連付けられた静止画像および動画像を関連付ける関連付情報を削除することにより、静止画像と動画像との関連付けが解除されるので、表示、削除等の別の処理を静止画像および動画像各々に対して独立して実行することができる。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８７】
＜付記＞
（１）  前記動画撮像手段は、前記操作受付手段により静止画像と動画像とを関連付けることを設定する操作が受け付けられていることを条件に、前記撮像手段に静止画に対して予め定められた条件で撮像させ、前記操作受付手段により静止画像と動画像とを関連付けることを設定する操作が受け付けられていない場合は、前記撮像手段に静止画に対して予め定められた条件で撮像させることなく、前記撮像手段に動画像に対して予め定められた条件で撮像させる、請求項１〜６のいずれかに記載の撮像装置。
（２）  被写体を撮像し、静止画像または動画像を出力する撮像手段を備えた撮像装置で実行される撮像方法であって、
ユーザによる操作を受け付けるステップと、
前記操作を受け付けるステップにおいて、動画の撮像を指示する操作が受け付けられることに応じて、前記撮像手段を制御して、静止画に対して予め定められた条件で撮像させた後に、前記撮像手段に動画像に対して予め定められた条件で撮像させるステップと、
前記操作を受け付けるステップにおいて、静止画の撮像を指示する操作が受け付けられることに応じて、前記撮像手段を制御して、静止画に対して予め定められた条件で撮像させるステップと、を含む撮像方法。
（３）  被写体を撮像し、静止画像または動画像を出力する撮像手段を備えた撮像装置を制御するコンピュータで実行される撮像プログラムであって、
ユーザによる操作を受け付けるステップと、
前記操作を受け付けるステップにおいて、動画の撮像を指示する操作が受け付けられることに応じて、前記撮像手段を制御して、静止画に対して予め定められた条件で撮像させた後に、前記撮像手段に動画像に対して予め定められた条件で撮像させるステップと、
前記操作を受け付けるステップにおいて、静止画の撮像を指示する操作が受け付けられることに応じて、前記撮像手段を制御して、静止画に対して予め定められた条件で撮像させるステップと、を前記コンピュータに実行させる撮像プログラム。
【図面の簡単な説明】
【００８８】
【図１】本実施の形態の１つにおけるビデオカメラの構成の概略を示すブロック図である。
【図２】ＣＰＵの機能の概要をＨＤＤに記憶される画像とともに示す機能ブロック図である。
【図３】一覧表示画面の一例を示す図である。
【図４】図４は、撮像処理の流れの一例を示すフローチャートである。
【図５】再生処理の流れの一例を示す第１のフローチャートである。
【図６】再生処理の流れの一例を示す第２のフローチャートである。
【符号の説明】
【００８９】
１０  ビデオカメラ、１１  ＣＰＵ、１３  ＲＯＭ、１５  ＴＧ、１６  レンズ、１７  イメージセンサ、１９，２３  Ａ／Ｄ、２１  マイクロホン、２５  メモリ制御部、２７  ＳＤＲＡＭ、２９  ＬＣＤドライバ、３１  ＬＣＤ、３９  バス、４１  操作部、４３  静止画撮像ボタン、４５  録画開始／停止ボタン、５１  操作受付部、５３  撮像条件設定部、５５  撮像制御部、５７  動画撮像部、５９  静止画撮像部、６１  画像取得部、６３  静止画像取得部、６５  動画像取得部、６７  記憶部、６９  関連付部、７１  解除部、７３  表示制御部、７５  一覧表示部、７７  再生部、８１  動画撮像条件、８３  静止画撮像条件、８５  静止画像、８７  動画像、８９  関連付情報。
【図１】
2011049882.tif 000003
【図２】
2011049882.tif 000004
【図３】
2011049882.tif 000005
【図４】
2011049882.tif 000006
【図５】
2011049882.tif 000007
【図６】
2011049882.tif 000008